(57)【要約】【課題】吸液性シートを挿入して使用するパンツにおいて、吸液性シートによる圧迫感が改善され、かつフィット感の良好なパンツを提供する。【解決手段】パンツ本体内の股間部分に吸液性シートを着脱可能に設けて使用するタイプのパンツであって、該パンツの前身頃部及び後身頃部における吸液性シートが当接する部位は、周辺の部位に比べたるみが生じるように編成されてなることを特徴とするパンツ。【選択図】      なし【特許請求の範囲】
【請求項１】
パンツ本体内の股間部分に吸液性シートを着脱可能に設けて使用するタイプのパンツであって、該パンツの前身頃部及び後身頃部における吸液性シートが当接する部位は、周辺の部位に比べたるみが生じるように編成されてなることを特徴とするパンツ。
【請求項２】
たるみを生じている部位とその周辺の部位の編組織が異なっている請求項１記載のパンツ。
【請求項３】
面積たるみ率が５〜３０%である請求項１または２に記載のパンツ。
【請求項４】
一体で編成されてなる請求項１〜３のいずれか１項に記載のパンツ。
【発明の詳細な説明】
【０００１】
【発明の属する技術分野】
本発明は、尿とりパッドや生理用品等の液体吸収性物品を内部に配して使用するパンツに関する。より詳細には、パッド類の着脱が容易であり、装着されたパッドなどによる圧迫感が少なく、フィット性に優れたパンツに関する。
【０００２】
【従来の技術】
わが国は世界一の長寿国であり、高齢者の人口増加に伴い多種多様の介護用品や福祉機器が提案されている。その中で排泄物の処理については、テープタイプの紙おむつ、パンツタイプの使い捨てオムツ、失禁用パンツ、パンツに挿入して使用する尿とりパッドなど多数の商品が扱われている。
【０００３】
軽い失禁や尿量が少ない場合は、失禁用パンツや尿とりパッドを使用することが多いが、失禁パンツは通常のパンツとそれほど変わらない装着感が得られるものの、パンツ自体が濡れてしまうため、すぐにはき替えない場合は不快感を伴うという問題があった。また、尿とりパッドを介護用パンツなどに装着した場合、排尿後はパッドのみの交換ですむので簡便ではあるが、嵩のあるパッドによって装着時に圧迫感や違和感を感じるものであった。
従来、尿とりパッドや生理用品などの吸液性物品を装着して使用するパンツについては、吸液性物品がパンツ中でズレないように各種手段で固定する技術についての提案(特許文献1,2参照)や、吸液性シートの着脱の容易さに関する提案(特許文献３参照)がなされているが、吸液性シートを装着した場合の圧迫感の改善などについての提案ははなされていなかった。
【０００４】
【特許文献１】特開２０００-４５１０１号公報
【特許文献２】特開２００２-５８６９１号公報
【特許文献３】特開２０００-４５１０１号公報
【０００５】
【発明が解決しようとする課題】
本発明の課題は、吸液性シートを挿入して使用するパンツにおいて、吸液性シートによる圧迫感が改善され、かつフィット感の良好なパンツを提供することである。
【０００６】
【課題を解決するための手段】
すなわち、本発明は、パンツ本体内の股間部分に吸液性シートを着脱可能に設けて使用するタイプのパンツであって、該パンツの前身頃部及び後身頃部における吸液性シートが当接する部位は、周辺の部位に比べたるみが生じるように編成されてなることを特徴とするパンツであり、好ましくは、たるみを生じている部位とその周辺の部位の編組織が異なっており、さらに好ましくは、面積たるみ率が５〜３０%である上記のパンツである。
【０００７】
【発明の実施の形態】
本発明のパンツは、パンツ本体内の股間部分に吸液性シートを着脱可能に設けて使用するタイプのパンツであり、その一例を示すと図１に見られるように、パンツの前身頃の少なくとも吸液性シートが当接する部位にはたるみを持たせた構造を有するものである。図面には現われていないが、後身頃においても同様に、吸液性シートが当接する部位はたるみを持たせてある。
【０００８】
パンツの所定の位置にたるみを持たせる方法は特に限定されないが、通常のニットマシーンでは編成することができず、たとえば、イタリア  サントニー（ＳＡＮＴＯＮＩ）社製の立体成型補正用丸編み機（１２inch  ＳＭ８／１３，１４inch  ＳＭ８  ＴＯＰ８）を用いて編成されるものである。この編み機を用いることで所定位置にたるみ部を有する特殊なニット構造がシームレスの状態で一気に形成されるものである。
本発明においては、たるみを形成する部位とたるみを持たせない周辺部との編組織を変更することができる。特に、たるみを形成させるための編組織としては例えば、天竺組織を採用することが好ましい。また、たるみ部位の周辺の編組織は格別限定されないが、パンツ全体のフィット感を良好にするために、リブ組織を採用することが好ましい。
なお、たるみを有するパンツを製造するに際しては、各パーツを準備し、該パーツを縫製して製造することは不可能ではないが、外観上の問題、製造が煩雑であること、およびパンツ装着時に縫い目による不快感などがあるので好ましくない。
本発明のパンツは、一度に特定部にたるみを持たせたパンツが製造できるという点にも特徴がある。
また、本発明のパンツのたるみ部は吸液性シートが装着される場合、その厚みに応じた程度のたるみが形成されていればよく、好ましくは、面積たるみ率として５〜３０％、より好ましくは１０〜３０％のたるみが形成されていることが好ましい。
なお、ここでいう面積たるみ率とは、たるみ部位をパンツから切り抜き平面に載置した場合のその面積をSとし、パンツの切り抜かれた部分の面積をS'としたとき、下記式で示される値である。
面積たるみ率（％）＝１００×Ｓ／Ｓ'
【０００９】
本発明のパンツは、上記のような要件を満たしておればその余の形状は格別限定されず、例えば、図１に示したものは、３部丈程度のレッグ部を形成しているが、使用態様によってこのレッグ部は８部丈程度に長くしたようなスパッツタイプでもでもよいし、ブリーフのような形状のものでもよい。
また、本発明のパンツを構成する糸条の種類は特に限定されず、マルチフィラメント及び紡績糸のいずれも使用することができる。さらに、これら糸条を構成する繊維の種類はポリエステル繊維、アクリル繊維、エチレン−ビルアルコール系共重合体繊維、ポリアミド繊維、ポリウレタン繊維などの合成繊維、レーヨン、キュプラ、テンセルなどの再生または溶剤紡糸セルロース系繊維、綿、麻、ウール、絹などの天然繊維、としては、消臭性繊維、抗菌性繊維、芳香繊維、遠赤外線放射性繊維、マイナスイオン放射繊維などの機能性繊維などを使用することができる。
使用する糸条の太さは、パンツの種類にもよるので特に限定されないがマルチフィラメントの場合は、例えば５０〜２００デシテックスのものが使用され、紡績糸の場合は２０〜５０番手程度のものが一般的に使用される。
【００１０】
本発明のパンツの使用において、用いられる吸液性シートとは、一般に市販されている尿とりパッド類、生理用品などであるが、特に、吸液性シートのバックシート面に面ファスナーのフック部を固定したものは、本発明のパンツを構成するニットのループに対して面ファスナーフック部が係合し、吸液性シートの位置のズレを防止できるので好ましい。
【００１１】
【実施例】
次に本発明を具体的に実施例で説明するが、本発明は実施例に限定されるものではない。
【００１２】
実施例１
消臭性ポリエステル繊維「シャインアップ」(登録商標、株式会社クラレ製)／綿(６５／３５)の混紡糸（４０番手）を用い、サントニー（ＳＡＮＴＯＮＩ）社製の立体成型補正用丸編み機（１２inch  ＳＭ８／１３，１４inch  ＳＭ８  ＴＯＰ８）を用いて、編組織としてたるみ部は天竺組織、その周辺のパンツ本体はリブ組織となるように編成し、図１に示すような形態のパンツを作成した。このパンツは前・後ともに吸液性シートの当接する部分にはたるみが形成されており、それぞれの面積たるみ率は１５％であった。ついで、このパンツに市販の尿とりパッドのバックシートに面ファスナーのフック部材を取り付けたものを装着し、１０人のパネラーによる着用試験を行った。一方、市販のパンツについても同じ尿とりパッドを装着し、同様に着用試験を行った。
【００１３】
その結果、本発明のパンツは、たるみ部分に尿とりパッドが埋め込まれるようにフィットしているため、パネラー全員が、装着時の圧迫感を殆んど感じることなく、また、パンツ全体としてもフィット感も良好であると評価したが、市販のパンツを使用した場合は、殆んどのパネラーが尿とりパッドによる圧迫感や違和感を感じるという評価であった。
【図面の簡単な説明】
【図１】本発明のパンツの一例を示す斜視図である。
【図１】
2004194784.tif 000002